(57)【要約】【課題】  圧電振動板による嫌蚊性振動波に加え、該振動板の振動と発熱で気化又は昇華される嫌蚊性薬剤の放出により、振動波と薬剤両者の相乗効果による蚊撃退器を提供する。【解決手段】  嫌蚊性の周波数で発振する発振回路と、該発振回路によって励振され嫌蚊性振動波を発生する振動板を備えた蚊撃退器において、前記振動板に該振動板の振動波によって気化又は昇華され振動波放出窓から嫌蚊性の気体を前記嫌蚊性振動波と一緒に放出する嫌蚊性薬剤を保持せしめた蚊撃退器。【選択図】    図１
2006141372.tif 000002
【特許請求の範囲】
【請求項１】
嫌蚊性の周波数で発振する発振回路と、該発振回路によって励振され嫌蚊性振動波を発生する振動板を備えた蚊撃退器において、該振動板の振動波及び振動発熱によって気化又は昇華され嫌蚊性の気体を、前記嫌蚊性振動波と一緒に放出する嫌蚊性薬剤を具有せしめたことを特徴とする蚊撃退器。
【請求項２】
上記嫌蚊性薬剤を担体に塗布し、該担体を振動板に交換可能に保持せしめたことを特徴とする請求項１記載の蚊撃退器。
【請求項３】
人体を検知して上記発振回路を作動せしめる人感センサーを備えたことを特徴とする請求項１記載の蚊撃退器。
【発明の詳細な説明】
【発明の詳細な説明】
【技術分野】
【０００１】  本発明は、蚊の嫌う周波数の振動波放出と該振動や発熱を利用して気化又は昇華される薬剤放出の相乗効果による蚊撃退器に関する。
【背景技術】
【０００２】  夏の夜などに蚊に刺されることは万人の悩みであり、従来より蚊取線香、電気蚊取器の需要は非常に大きい。【０００３】  又、近年は蚊の嫌う周波数を利用し、携帯形小型ケースから当該周波数の振動波を出して蚊を撃退する器具が安価に売られている。
【発明が解決しようとする課題】
【０００４】  然しながら、蚊取線香は火を使うこと、電気蚊取器は特定の電源が必要であること、又、前記振動波利用の蚊撃退器は群をなすヤブ蚊などには十分な効果がないなど、安全性や蚊忌避効果の面で課題を残している。
【０００５】  更に、蚊取線香や電気蚊取器、嫌蚊性周波数を出す蚊撃退器は時間的にも概ね連続して作動せざるを得ないことが多いので、寿命が短く、不経済である。
【課題を解決するための手段】
【０００６】  本発明は上記課題を解決する蚊撃退器を提供するものである。
【０００７】  要述すると、本発明に係る蚊撃退器は嫌蚊性の周波数で発振する発振回路と、該発振回路によって励振され嫌蚊性振動波を発生する振動板を備えた蚊撃退器において、前記振動板に該振動板の振動波によって気化又は昇華され振動波放出窓から嫌蚊性の気体を前記嫌蚊性振動波と一緒に放出する嫌蚊性薬剤を保持せしめた構成を有する。
【０００８】  上記嫌蚊性薬剤は担体たる板（担板）に塗布し、該担板を振動板に交換可能に保持せしめる。
【０００９】  又、人体を検知して上記嫌蚊性周波数発振回路を作動せしめる人感センサーを具備せしめる。
【発明を実施するための最良の形態】
【００１０】  本発明の実施の形態を図１乃至図５を参照して説明する。【００１１】  図１（Ａ）（Ｂ）（Ｃ）に示すように、１は５千〜１万５千Ｈｚに設定された嫌蚊性周波数発生装置６を組み込んだ小型ケースであり、２はケース側面より外部に臨ませた電源のＯＮ、ＯＦＦ操作スイッチ、３は圧電振動板の固定と覆いを兼ねる蓋、４は嫌蚊性振動波と嫌蚊性気体放出窓、５は前記蓋を止めるネジである。【００１２】  上記嫌蚊性周波数発生装置６は嫌蚊性の周波数で発振する発振回路基板１０と該発振回路によって励振され嫌蚊性振動波を発生する圧電振動板７に代表される振動板とから成り、該発振回路基板１０には発振回路を形成する抵抗、コンデンサ等の電子部品６’と電源８たるボタン電池を搭載する。【００１３】  圧電振動板７は振動板７ａと圧電素子７ｂのバイモルフ構造であり、該圧電振動板７を前記放出窓４の内側に対向して配し、該圧電振動板と発振回路基板とをリード線９ａ、９ｂによって接続し、電源スイッチＯＮにより嫌蚊性振動波を前記放出窓４より外部へ放出する。【００１４】  他方、前記振動板７ａには嫌蚊性薬剤１１を保持せしめ、前記振動板が発生する振動波と振動発熱を利用して該薬剤１１を励起し、気化又は昇華した嫌蚊性気体を嫌蚊性振動波と一緒に前記放出窓４から放出する。【００１５】  更に、振動板７ａと分離着脱可能で且つ振動板７ａと密着される担板１２に薬剤１１を塗布した構造とし、組立て時に振動板７ａと密着させつつケース本体に一体に設けた振動板支持座１’と、ケース蓋３に一体に設けた振動板押さえ部３’間に挟持し固定する。【００１６】  この場合、振動板７ａは上記の薬剤１１を保有する担板１２を励振し、発生する振動波と振動発熱を利用して該薬剤１１を励起し、気化又は昇華した嫌蚊性気体を嫌蚊性振動波と一緒に嫌蚊性振動波放出窓４から放出する。【００１７】  図２は回路図で、スイッチ２をＯＮすると電源電池８の電力により嫌蚊性周波数発生回路１０’が自励発振し、圧電振動板７を励振せしめる。
ここに前記周波数は図の抵抗及びコンデンサの値を選定することにより設定される。【００１８】  図３（Ａ）（Ｂ）は振動板７ａの表面に薬剤１１を塗布し保持させた場合を例示し、１つの例として該薬剤を多孔構造又は格子溝目地構造にしたものであり、前記振動板７ａの圧電振動体７にリード線９ａ及び９ｂを接続し、薬剤塗布層と振動板７ａを同体振動せしめる構成にする。【００１９】  図３（Ｃ）は前記薬剤を、振動板７ａと分離着脱可能ならしめた担板１２の表面に塗布した場合を示し、振動板７ａと薬剤１１を塗布した担板１２は組立て時に密着される。【００２０】  図４（Ａ）（Ｂ）は人感センサー１３を備えた蚊撃退器を示し、センサー窓１４をケース蓋３に設けた１例を示す。【００２１】  嫌蚊性周波数発振回路１０’を発振回路基板１０上に該センサー回路を形成する電子部品１３ａと半導体センサー素子１３ｂ即ち人感センサー１３を搭載した構造を示す。ここに、該半導体センサー素子１３ｂはセンサー窓１４の内側に対向して配置する。【００２２】  センサー窓１４を通して半導体センサー素子１３ｂが捕らえた人体の活動信号はセンサー回路を形成する電子部品１３ａを介して前記嫌蚊性周波数発生回路１０’を駆動し、嫌蚊性薬剤１１を放出せしめる。【００２３】  図５は人感センサー１３を備えた蚊撃退器の回路図で、スイッチ２をＯＮすると電源電池８の電力により人感センサー回路が作動し、半導体センサー素子１３ｂが人体の接近など人体の活動を捕らえた時にトランジスタスイッチ１５を駆動し嫌蚊性周波数発生回路１０’を作動せしめる。ここに、該トランジスタスイッチ１５は前記人感センサー回路を構成する電子部品１３ａの中に搭載する。
【発明の効果】
【００２４】  以上の説明から明らかなように、本発明によれば、次の効果が得られる。
（１）  振動板による嫌蚊性振動波に加え、該振動板の振動と発熱で気化又は昇華される嫌蚊性薬剤の放出により、振動波と薬剤両者の相乗効果で各種の蚊を撃退することができる。
（２）  人感センサーを付加することにより、無人の時には蚊撃退器が作動停止しするので、電源や薬剤の消耗を抑制でき、その都度スイッチ操作せねばならない不便が解消できる。
【図面の簡単な説明】
【００２５】
【図１】（Ａ）は嫌蚊性周波数発生装置を組み込んだ小型ケースの斜視図であり、（Ｂ）はケース内中央付近の側断面図であり、（Ｃ）は薬剤部分を振動板と分離着脱可能な担板とした中央付近の側断面図である。
【図２】は蚊撃退器の回路図である。
【図３】（Ａ）は嫌蚊性薬剤を塗布した振動板の前方斜視図、（Ｂ）は嫌蚊性薬剤を塗布した振動板の後方斜視図である。
【図４】（Ａ）は人感センサーを備えた蚊撃退器の斜視図、（Ｂ）は人感センサーを備えた蚊撃退器の側断面図である。
【図５】は人感センサーを備えた蚊撃退器の回路図である。
【符号の説明】
【００２６】  １      ケース
１’    振動板支持座
２      電源ＯＮ、ＯＦＦスイッチ
３      振動板の固定と覆いを兼ねる蓋
３’    振動板押さえ部
４      嫌蚊性振動波と嫌蚊性薬剤の放出窓
５      蓋を止めるネジ
６      嫌蚊性周波数発生装置
６’    発振回路を構成する電子部品
７      圧電振動板
７ａ    振動板
７ｂ    圧電素子
８      電源（ボタン電池）
９ａ    リード線
９ｂ    リード線
１０      発振回路基板
１０’    発振回路
１１      嫌蚊性薬剤
１２      嫌蚊性薬剤の担板
１３      人感センサー
１３ａ    人感センサー回路を構成する電子部品
１３ｂ    半導体センサー素子
１４      人感センサー窓
１５      トランジスタスイッチ
【図１】
2006141372.tif 000003
【図３】
2006141372.tif 000004
【図４】
2006141372.tif 000005
【図２】
2006141372.tif 000006
【図５】
2006141372.tif 000007